(57)【要約】  【課題】  洗面器の排水口内に流入した毛髪を捕捉したり、小物の落下を防止するとともに、排水口の内壁に付着している例えばヌメリを除去することができる排水栓を提供すること。  【解決手段】  排水口３に設置される排水栓本体４と、ヌメリ除去作用および／または殺菌作用を有する薬剤Ｐ、あるいは、生ゴミや下水からの異臭を消す消臭作用を有する薬剤Ｐと、薬剤Ｐを収容する複数の収容部Ａ1 〜Ａ6 を有して排水栓本体４の下部側に着脱自在に設けられる薬剤収容部材５とから構成され、さらに、前記収容部Ａ1 〜Ａ6 は排水口３の内壁Ｗに当接するよう、また、排水口３の深さ方向（Ｄ方向）に沿うよう上下数段にわたり設けられている。【選択図】    図１
2006348649.tif 000002
【特許請求の範囲】
【請求項１】
排水口に設置される排水栓本体と、ヌメリ除去作用および／または殺菌作用を有する薬剤、あるいは、生ゴミや下水からの異臭を消す消臭作用を有する薬剤と、薬剤を収容する複数の収容部を有して排水栓本体の下部側に着脱自在に設けられる薬剤収容部材とから構成され、さらに、前記収容部は排水口の内壁に当接するよう、また、排水口の深さ方向に沿うよう上下数段にわたり設けられていることを特徴とする排水栓。
【請求項２】
薬剤収容部材は、排水栓本体に係合するよう弾性的に変形する割りリング部と、この割りリング部から垂下され、薬剤を収容する複数の収容部が上下数段にわたり設けられている垂下部とよりなり、さらに、この垂下部が二つの半割り体で形成されるとともに、前記各収容部を形成するための二つの部分がそれぞれ前記半割り体の各対称位置に設けられ、また、一方の半割り体には係止部、他方の半割り体には被係止部が設けられており、また、二つの半割り体が薄肉のヒンジ部で連結されている請求項１に記載の排水栓。
【請求項３】
前記収容部は、当該収容部内に排水が流入する流入孔と、当該収容部内から薬剤の溶解液が流出する流出孔を有し、さらに、流出孔は排水口の内壁側に向くよう外側を向いており、前記収容部に溜まった排水によって予め薬剤の一部を溶解させるよう流入孔が流出孔より低い位置に設けられている請求項１または請求項２に記載の排水栓。
【請求項４】
前記薬剤収容部材はツリー状に構成されている請求項１〜請求項３のいずれかに記載の排水栓。
【発明の詳細な説明】
【技術分野】
【０００１】
この発明は、例えば洗面器等に設けた排水口にはめ込まれて、排水中の小物等の異物が落下するのを防止する異物受け等の排水栓に関するものである。
【背景技術】
【０００２】
例えばポップアップ式の洗面器用排水栓として下記特許文献１に示すように、微生物の発育抑制物質を含有する固形薬剤が収容された薬剤収容部を備えたものがある。この排水栓には、排水口を封水する封水部材の下方に前記薬剤収容部が設けられ、前記薬剤収容部の下部から下方に突出するロッドにヘアキャッチャーが設けられており、これにより、洗面器の排水口内に流入した毛髪を捕捉できるとともに、前記薬剤の溶解液によって排水口の内壁に付着している例えばヌメリを除去できる。そして、前記薬剤収容部に収容された固形薬剤が消費された場合には、固形薬剤のみを交換することができるように前記薬剤収容部が構成されている。
【０００３】
【特許文献１】特開２００５−７４０４０号公報
【発明の開示】
【発明が解決しようとする課題】
【０００４】
しかし、洗面器の排水口内に流入した毛髪を捕捉するとともに、例えば小物の落下を防止する小物受けのように、排水口にはめ込まれて固定して使用するタイプの排水栓として、上記のような固形薬剤を収容した薬剤収容部を備えたものはなかった。
【０００５】
この発明は、上述の事柄に留意してなされたもので、その目的は、洗面器の排水口内に流入した毛髪を捕捉したり、小物の落下を防止するとともに、排水口の内壁に付着している例えばヌメリを除去することができる排水栓を提供することである。
【課題を解決するための手段】
【０００６】
上記目的を達成するために、この発明の排水栓は、排水口に設置される排水栓本体と、ヌメリ除去作用および／または殺菌作用を有する薬剤、あるいは、生ゴミや下水からの異臭を消す消臭作用を有する薬剤と、薬剤を収容する複数の収容部を有して排水栓本体の下部側に着脱自在に設けられる薬剤収容部材とから構成され、さらに、前記収容部は排水口の内壁に当接するよう、また、排水口の深さ方向に沿うよう上下数段にわたり設けられていることを特徴とする（請求項１）。
【０００７】
この発明では、薬剤収容部材は、排水栓本体に係合するよう弾性的に変形する割りリング部と、この割りリング部から垂下され、薬剤を収容する複数の収容部が上下数段にわたり設けられている垂下部とよりなり、さらに、この垂下部が二つの半割り体で形成されるとともに、前記各収容部を形成するための二つの部分がそれぞれ前記半割り体の各対称位置に設けられ、また、一方の半割り体には係止部、他方の半割り体には被係止部が設けられており、また、二つの半割り体が薄肉のヒンジ部で連結されるのが好ましい（請求項２）。
【０００８】
また、この発明では、前記収容部は、当該収容部内に排水が流入する流入孔と、当該収容部内から薬剤の溶解液が流出する流出孔を有し、さらに、流出孔は排水口の内壁側に向くよう外側を向いており、前記収容部に溜まった排水によって予め薬剤の一部を溶解させるよう流入孔が流出孔より低い位置に設けらるのが好ましい（請求項３）。
また、前記薬剤収容部材をツリー状に構成するのが好ましい（請求項４）。
【発明の効果】
【０００９】
この発明では、排水口に設置される排水栓本体と、ヌメリ除去作用および／または殺菌作用を有する薬剤、あるいは、生ゴミや下水からの異臭を消す消臭作用を有する薬剤と、薬剤を収容する複数の収容部を有して排水栓本体の下部側に着脱自在に設けられる薬剤収容部材とから構成しているので、排水栓本体により、排水中の小物等の異物が落下するのを防止したり、排水口内に流入した毛髪を捕捉したりすることができるとともに、薬剤収容部材に収容されている薬剤の溶解液により、排水口の内壁に付着している例えばヌメリを除去することができる。
【００１０】
そして、この発明では、前記収容部は排水口の内壁に当接するよう、また、排水口の深さ方向に沿うよう上下数段にわたり設けられている。すなわち、前記収容部を排水口の深さ方向に沿う形に上下数段にわたり配置して薬剤収容部材を排水口の深さ方向に長い長尺状に形成し、しかも前記収容部を排水口の内壁に当接するように構成したので、前記ヌメリを排水口の上下領域にわたり効果的に除去することができる。
【発明を実施するための最良の形態】
【００１１】
以下、この発明の実施例を、図を参照しながら説明する。なお、それによってこの発明は限定されるものではない。
【００１２】
図１〜図３はこの発明の一実施例を示す。
図１〜図３において、１は、例えば洗面器の洗面ボール２に設けた排水口３にはめ込まれて、排水中の小物が落下するのを防止する小物受け（排水栓の一例）である。この排水栓１は、排水口３に設置される排水栓本体４と、ヌメリ除去作用および／または殺菌作用を有する薬剤、あるいは、生ゴミや下水からの異臭を消す消臭作用を有する固形の薬剤Ｐと、薬剤Ｐを収容する複数の収容部Ａ1 〜Ａ9 を有して排水栓本体４の下部側に着脱自在に設けられる合成樹脂製の薬剤収容部材５とから主として構成されている。薬剤Ｐは、例えば円板状で、第四アンモニウム塩を主成分としており、又ヌメリ除去、殺菌、消臭に効果的である。  
【００１３】
前記排水栓本体４は、逆ハット状であり、下方側にいくほど小径に形成された円錐台形状部６と外向きフランジ部７よりなる。円錐台形状部６は胴の周面に沿って適宜間隔に形成された複数の上下方向に長い排水用長孔８を有するとともに、平面視円形の底部Ｂの中心に立設したピン９を有し、底部Ｂのピン９のまわりに円周方向に適宜間隔に形成された複数の排水孔１０を有する。そして、ピン９を把持することにより、排水栓本体４を排水口３にはめ込んだり排水口３から取り外したりすることができる。また、複数の排水用長孔８のうち、いくつかには、排水口３にはめ込まれたときに排水口３の筒状内壁面Ｗに当接しながら排水栓本体４をガイドするガイド片１１が排水用長孔８の下端から外向き、かつ、上方に傾斜しながら設けられている。この実施例では９個の排水用長孔８のうち胴の周面方向に等間隔で配置された３つの排水用長孔８にそれぞれガイド片１１が設けられている。また、フランジ部７は排水栓本体４が排水口３にはめ込まれたときに排水口３の内周上面部Ｓに支持される。
【００１４】
前記薬剤収容部材５は、排水栓本体４のガイド片１１に引っ掛けられた状態で排水栓本体４の胴の外側に保持される一つの割りリング部１２と、この割りリング部１２の適宜の箇所から垂下された複数の垂下部１３〜１５とよりなる。割りリング部１２は例えば排水栓本体４の底部Ｂの径に等しいか、底部Ｂの径よりも小径の内径を有する。そして、図２で実線で示す縮径の割りリング部１２を弾性的に変形することにより、図２で鎖線で示すように拡張しながらガイド片１１を介して排水栓本体４に係合させることができる（図１参照）。
【００１５】
さらに、例えば垂下部１４は、排水口３の深さ方向（両矢印Ｄで示す排水口３の上下方向）に連設された例えば３個の収容部Ａ4 〜Ａ6 を有する。また、垂下部１３および１５にも、３個の収容部Ａ1 〜Ａ3 および３個の収容部Ａ7 〜Ａ9 がそれぞれＤ方向に設けられている。
【００１６】
そして、これら垂下部１３〜１５がそれぞれ二つの半割り体２０，２１で形成されている。例えば図３に示すように、垂下部１４において、例えば収容部Ａ4 ，Ａ6 を形成するための二つの部分１４Ａ，１４Ｂがそれぞれ半割り体２０，２１の対称位置に設けられている。また、垂下部１４において、例えば収容部Ａ6 を形成するための二つの部分１４Ａ，１４Ｂがそれぞれ半割り体２０，２１の対称位置に設けられている。
同様に垂下部１３の各収容部Ａ1 〜Ａ3 を形成するための二つの部分１４Ａ，１４Ｂがそれぞれ半割り体２０，２１の各対称位置に設けられている。また、垂下部１５の各収容部Ａ7 〜Ａ9 を形成するための二つの部分１４Ａ，１４Ｂがそれぞれ半割り体２０，２１の各対称位置に設けられている。
【００１７】
そして、一方の半割り体２１には係止用突起部２１ａ、他方の半割り体２０には突起部２１ａが係止する係止孔（被係止部）２０ａが設けられている。また、二つの半割り体２０，２１が薄肉のヒンジ部２２で連結されている。
【００１８】
例えば図３に示す収容部Ａ4 は、当該収容部Ａ4 内に排水が流入する流入孔３０と、当該収容部Ａ4 内から薬剤５の溶解液が流出する溶解液流出孔３１を有する。また、流出孔３１は排水口３の内壁Ｗ側に向くよう割りリング部１２の径方向外側を向いており、収容部Ａ4 に溜まった排水によって予め薬剤Ｐの一部を溶解させるよう流入孔３０が流出孔３１より低い位置に設けられている。そして、収容部Ａ4 以外の収容部Ａ1 〜Ａ3 、Ａ5 ，Ａ6 、Ａ7 〜Ａ9 も収容部Ａ4 と同様の構成である。４０は収容部Ａ1 〜Ａ9 の流出孔３１が上端に位置する垂直面部分であり、垂直面部分４０を介して流出孔３１が排水口３の内壁Ｗに当接する状態で薬剤収容部材５を排水口３内にはめ込みできるよう構成されている。
【００１９】
而して、洗面ボール２における例えば洗浄流水（排水）は、排水栓本体４の排水用長孔８、排水孔１０を通る。このとき、排水栓本体４により、排水中の小物等の異物が落下するのを防止したり、排水口３内に流入した毛髪を捕捉したりすることができる。そして、排水は、排水栓本体４の下部側に設けた薬剤収容部材５の各収容部Ａ1 〜Ａ9 に至る。このとき、排水栓本体４で小物等の異物や毛髪の除去が行えるので、収容部Ａ1 〜Ａ9 の流入孔３０を阻害することなく排水を流入孔３０に流入でき、収容部Ａ1 〜Ａ9 内の薬剤Ｐの一部を溶解させることができる。同時に、流入孔３０に流入する排水の勢いにて、割りリング部１２の径方向外側で、流入孔３０よりも高い位置にある溶解液流出孔３１から溶解液が排水口３の内壁Ｗに至り、内壁Ｗを伝わりながら排水口下方に至る。この場合、流出孔３１を有する垂直面部分４０が内壁Ｗに接触しているため、流出孔３１より流出した溶解液の効果を確実に発揮させることができ、しかも、薬剤収容部材５をＤ方向に長い長尺状に形成して流出孔３１の数を多くしたので、内壁Ｗに付着しているヌメリを効果的に除去できるとともに、下水からの異臭を効果的に消すことができたり、排水口３の殺菌を効果的に行うことができる。
【００２０】
そして、一旦排水が無くなった状態では、すなわち、収容部Ａ1 〜Ａ9 内に排水が流入しなくなった状態では、先に収容部Ａ1 〜Ａ9 内に流入し溜まった排水によって薬剤Ｐの一部は溶解しており、しかも、収容部Ａ1 〜Ａ9 内に排水が溜まっているので、溶解液は飽和液になり易くなる。つまり、薬剤Ｐの溶解が安定する。この状態で排水があると、飽和溶解液を薄める形で、かつ、飽和溶解液に混じって溶解液が溶解液流出孔３１から流出する。よって、下水からの異臭を効果的に消すことができたり、排水口３の殺菌を効果的に行えたり、内壁Ｗに付着しているヌメリを効果的に除去できる。
【００２１】
また、収容部Ａ1 〜Ａ9 内に収容された固形薬剤Ｐが消費された場合には、固形薬剤Ｐの交換作業を容易に行うことができる。すなわち、係止孔２０ａと突起部２１ａの係止を解除して、二つの半割り体２０，２１をヒンジ部２２のまわりに回動させるだけで固形薬剤Ｐの交換を行える。
【００２２】
なお、薬剤収容部材をクリスマスツリーの如きツリー状に構成してもよい。
また、この発明は、垂下部の数、ならびに、各垂下部に設けられる複数の収容部の数は上記実施例に限定されるものではない。
【図面の簡単な説明】
【００２３】
【図１】この発明の一実施例における使用状態を示す構成説明図である。
【図２】上記実施例を示す分解斜視図である。
【図３】上記実施例の要部の回動動作を示す要部縦断面図である。
【符号の説明】
【００２４】
１        排水栓
３        排水口
４        排水栓本体
Ｐ        薬剤
Ａ1 〜Ａ9 収容部
５        薬剤収容部材
Ｗ        内壁
【図１】
2006348649.tif 000003
【図２】
2006348649.tif 000004
【図３】
2006348649.tif 000005